【手続補正書】
【提出日】平成17年11月30日(2005.11.30)
【手続補正１】
【補正対象書類名】明細書
【補正対象項目名】特許請求の範囲
【補正方法】変更
【補正の内容】
【特許請求の範囲】
【請求項１】  内部を大気圧より低い圧力に保持する密封容器と、前記密封容器内に設けられた蛍光体及び前記蛍光体を発光させる機構と、前記密封容器内を大気圧以下の状態に維持するために封止された管状排気管とを有する画像表示装置の製造方法であって、
前記管状排気管の封止部位が金属製であり、
前記封止部位を、圧着機器により２回以上圧着し、封じ切ることを特徴とする画像表示装置の製造方法。
【請求項２】  内部を大気圧より低い圧力に保持する密封容器と、前記密封容器内に設けられた蛍光体及び前記蛍光体を発光させる機構と、前記密封容器内を大気圧以下の状態に維持するために封止された管状排気管とを有する画像表示装置の製造方法であって、
前記管状排気管の封止部位が金属製であり、
前記封止部位を圧着機器により２回以上圧着し、前記圧着機器と異なる手段を用いて前記封止部位を切り離すことを特徴とする画像表示装置の製造方法。
【請求項３】  前記圧着機器が油圧方式又は機械駆動方式のものであることを特徴とする請求項１又は２に記載の画像表示装置の製造方法。
【請求項４】  金属製の前記封止部位を前記圧着機器により圧着するに際して、前記封止部位又は前記封止部位に接触する前記圧着機器の部位に潤滑用液状粘性物質が塗布されていることを特徴とする請求項１〜３のいずれか１項に記載の画像表示装置の製造方法。
【請求項５】  前記管状排気管が、前記封止部位の外径と異なる外径部位を有する排気管構造とされていることを特徴とする請求項１〜４のいずれか１項に記載の画像表示装置の製造方法。
【請求項６】  前記封止部位の外径と異なる前記外径部位が、少なくとも前記密封容器と対峙する部位であることを特徴とする請求項５に記載の画像表示装置の製造方法。
【請求項７】  前記封止部位が、銅、または銅を含有する金属、アルミニウム、またはアルミニウムを含有する金属、銀、または銀を含有する金属、モリブデン、またはモリブデンを含有する金属、タングステン、または、タングステンを含有する金属から選択された１種の金属からなることを特徴とする請求項１〜６のいずれか１項に記載の画像表示装置の製造方法。
【請求項８】  前記管状排気管が、金属製の前記封止部位と、当該封止部位の金属と異なる金属製部位の少なくとも２種類以上の金属部材を有するものであることを特徴とする請求項１〜７のいずれか１項に記載の画像表示装置の製造方法。
【請求項９】  前記封止部位と前記金属製部位とが銀蝋付けにより接続されていることを特徴とする請求項８に記載の画像表示装置の製造方法。
【請求項１０】  少なくとも２種類以上の前記金属部材からなる前記管状排気管が、少なくとも前記密封容器と対峙する部位に、前記密封容器及び前記密封容器側との接着に用いられる密封性接着剤の熱膨張係数とほぼ同等の熱膨張係数を有する部材を備えることを特徴とする請求項８に記載の画像表示装置の製造方法。
【請求項１１】  前記金属製部位が、ニッケルと鉄の合金からなることを特徴とする請求項８〜１０のいずれか１項に記載の画像表示装置の製造方法。
【請求項１２】  前記管状排気管が、少なくとも前記密封容器と対峙する部位に用いられてなることを特徴とする請求項１１に記載の画像表示装置の製造方法。
【請求項１３】  前記管状排気管の前記密封容器と対峙する部位が、低融点ガラスで前記密封容器と接続されていることを特徴とする請求項１〜１２のいずれか１項に記載の画像表示装置の製造方法。
【請求項１４】  前記管状排気管は、大気圧側表面および大気圧以下の圧力に接する側の表面に、メッキ処理が施されてなるものであることを特徴とする請求項１〜１３のいずれか１項に記載の画像表示装置の製造方法。
【請求項１５】  前記メッキ処理が、ニッケルメッキであることを特徴とする請求項１４に記載の画像表示装置の製造方法。
【請求項１６】  内部を大気圧より低い圧力に保持する密封容器と、前記密封容器内に設けられた蛍光体及び前記蛍光体を発光させる機構と、前記密封容器内を大気圧以下の状態に維持するために封止された管状排気管とを有し、前記管状排気管の封止部位が金属製とされてなる画像表示装置の製造装置であって、
前記封止部位を２回以上圧着し、封じ切ることが可能な圧着機器を備えたことを特徴とする画像表示装置の製造装置。
【請求項１７】  内部を大気圧より低い圧力に保持する密封容器と、前記密封容器内に設けられた蛍光体及び前記蛍光体を発光させる機構と、前記密封容器内を大気圧以下の状態に維持するために封止された管状排気管とを有し、前記管状排気管の封止部位が金属製とされてなる画像表示装置の製造装置であって、
前記封止部位を圧着機器により２回以上圧着することが可能な圧着機器と、
前記圧着機器と異なる手段であって、前記封止部位を切り離すことが可能な機構とを備えたことを特徴とする画像表示装置の製造装置。
【請求項１８】  前記圧着機器が油圧方式、或いは機械駆動方式のものであることを特徴とする請求項１６又は１７に記載の画像表示装置の製造装置。
【請求項１９】  内部を大気圧より低い圧力に保持する密封容器と、
前記密封容器内に設けられた蛍光体及び前記蛍光体を発光させる機構と、
前記密封容器内を大気圧以下の状態に維持するために封止された管状排気管とを備え、
前記封止部位は、所定の金属材料からなり、２回以上圧着され、封じ切られてなることを特徴とする画像表示装置。
【請求項２０】  画像表示のための構造を内包する容器を有する画像表示装置の製造方法であって、
前記容器の内部のガスを通気管を介して排気する工程と、
前記通気管の金属からなる締め切り位置を押しつぶす工程と、
押しつぶされた前記締め切り位置で前記通気管を切断する工程とを備え、
前記締め切り位置を押しつぶす工程は、圧着機器の対向する２つの部材の間隔を狭めていくことにより前記２つの部材に挟まれる前記締め切り位置を押しつぶす工程であり、前記排気管の締め切り位置が切断される間隔となる前に、前記２つの部材の間隔の狭窄化を停止させることを特徴とする画像表示装置の製造方法。
【請求項２１】  画像表示のための構造を内包する容器を有する画像表示装置の製造方法であって、
前記容器の内部に通気管を介して所定のガスを供給する工程と、
前記通気管の金属からなる締め切り位置を押しつぶす工程と、
押しつぶされた前記締め切り位置で前記通気管を切断する工程とを備え、
前記締め切り位置を押しつぶす工程は、圧着機器の対向する２つの部材の間隔を狭めていくことにより前記２つの部材に挟まれる前記締め切り位置を押しつぶす工程であり、前記排気管の締め切り位置が切断される間隔となる前に、前記２つの部材の間隔の狭窄化を停止させることを特徴とする画像表示装置の製造方法。
【請求項２２】  前記通気管を切断する工程は、前記締め切り位置を押しつぶす工程において前記２つの部材の間隔の狭窄化を停止させた後、再度前記２つの部材によって前記締め切り位置を押しつぶすことによって前記締め切り位置で前記排気管を切断する工程であることを特徴とする請求項２０又は２１に記載の画像表示装置の製造方法。
【請求項２３】  前記通気管を切断する工程における前記再度の押しつぶし処理は、前記締め切り位置を押しつぶす工程の後、前記２つの部材の少なくとも一方を前記締め切り位置から離間させた後に行うことを特徴とする請求項２２に記載の画像表示装置の製造方法。